(57)【要約】【課題】商品及び商品見本の配列が適正になされ、消費者にとって正しい選択を誘導でき、かつ商品イメージ向上に寄与するようにした。【解決手段】ベーストレイ２と、ベーストレイ２の底板７後部に前後移動自在に設置されてベーストレイ２の内部を商品見本３０が収納される前部空間と商品３１を収納する後部空間に区画する可動の第２トレイ３と、後端を第２トレイ３の前縁側に回動自在に連結し、前端をベーストレイ２の前端側に回動自在に連結する前傾状の商品見本３０保持枠５と、ベーストレイ２の前端側に後端が接続される透明若しくは半透明に表示板４と、表示板４の下部空間に配置される照明具２１と、を具備する。【選択図】      図４
2008307279.tif 000002
【特許請求の範囲】
【請求項１】
商品設置面の全体を構成するベーストレイと、
ベーストレイの底板後部に前後移動自在に設置されてベーストレイの内部を商品見本が収納される前部空間と商品を収納する後部空間に区画する第２トレイと、
後端を第２トレイの前縁側に回動自在に連結し、前端をベーストレイの前端側に回動自在に連結する前傾状の保持枠と、
ベーストレイの前端側に後端が接続される透明若しくは半透明の表示板と、
表示板の下部空間に配置される照明具と、を具備し、
前記第２トレイを前後移動調整させることにより、これと連動して前記保持枠の後端部を上下に移動調整させるようにしたことを特徴とする商品陳列装置。
【請求項２】
前記ベーストレイの底板には、前後方向に沿って複数のスリットが形成され、前記第２トレイの底部には、その前後移動調整時に前記複数のスリットに選択的に係合する係止爪が突出形成されていることを特徴とする請求項１に記載の商品陳列装置。
【請求項３】
前記表示板は前部側を下方向に向けて円弧状に湾曲形成され、前記ベーストレイの前縁側に後端連結されるとともに前部側に湾曲状をしたフード部を一体化したベース板と、ベース板の前縁下部に固定されたブラインド板と、フード部の上面を係脱可能に覆うとともに、フード部との間に商品名などを印刷した表示シートを狭持する表示カバーとを備えたことを特徴とする請求項１又は２記載の商品陳列装置。
【請求項４】
前記ベーストレイの両側部には側板が形成されるとともに、該側板の上面部には光散乱部が形成され、前記照明具の点灯により、透明若しくは半透明に形成された、ベーストレイ、両側板、前記第２トレイ及び前記表示板を通して商品陳列装置全体を光らせるとともに、光散乱部により光を散乱させることを特徴とする請求項１乃至３のいずれか１項記載の商品陳列装置。
【発明の詳細な説明】
【技術分野】
【０００１】
本発明は、例えば、化粧品など、製品によって色差が微妙に異なる商品の展示販売に好適な商品陳列装置に関する。
【背景技術】
【０００２】
例えば、化粧品としてのエッセンスインリキッドファンデーションは、肌荒れ防止用エッセンスを含んだ液状ファンデーションのことを言い、肌荒れを伴わない新商品として販売されている。
【０００３】
ファンデーションの色選びは、基本的に肌の色合を決定づけるものとして、女性のフェイスメークにとって一番重要なポイントとなる化粧料であって、オークル系、ピンク系などに大別されている。
【０００４】
また、メーカによって異なるものの、一般には品番によって色調管理している。外見上非常に微妙な違いだが、品番が一つでも異なると、実際の色調は大分異なる。
【０００５】
この種の商品は、一般にはデパートなどの化粧品売場、あるいは、薬局などの化粧品売場などで展示販売されている。展示販売にあたり、商品陳列装置を構成する商品陳列台の前に試供品としての商品見本を置き、その後ろに商品見本に対応する商品を展示して販売している。消費者は、商品見本の容器の色を見るか、さらには容器より取出して消費者の手や顔の一部に塗ることによって、消費者の肌合いに適合するか否かを消費者自身が試すことができるようになっている。このような商品陳列装置としては、下記特許文献１に記載のものがある。
【特許文献１】特許第３８２８７４９号公報
【発明の開示】
【発明が解決しようとする課題】
【０００６】
この種の商品では、色調の違いを鮮明にするために、他の売場よりも照度を上げた状態で展示販売されているが、売場環境の違いによって見た目の色調は大分異なり、特に上部背面から商品に光を照射するなど、逆光の環境におかれると識別が難しいものとなる。
【０００７】
従って、消費者が見た目により選んだ品番のファンデーションを選択し、購入後、家など照明環境の異なる場所で付けると、消費者自身の思っているイメージとは全く異なった色合であることも多い。
【０００８】
このような錯誤による誤った選択を防止するためには、どのような環境の売場でも、その色合いが同じであって、消費者にとっては、隣合う試供品の色合の違いが鮮明に判断できるように展示することが必要である。
【０００９】
また、商品及び商品見本の配列は、隙間なく綺麗に展示されていることが重要であり、従来の装置では、必ずしも適正な配列とはされていない。
【００１０】
本発明は以上の観点に基づきなされたものであり、その目的とするところは、商品及び商品見本の配列が適正になされ、さらに、商品見本の色合が微妙に異なってもその違いを鮮明にし、消費者にとって正しい選択を誘導でき、かつ基本的にイメージ商品である化粧品などの商品イメージ向上に寄与するようにした商品陳列装置を提供するものである。
【課題を解決するための手段】
【００１１】
前記目的を達成するため、本発明に係る商品陳列装置は、図の実施の形態にも示されるように、
商品設置面の全体を構成するベーストレイ２と、
ベーストレイ２の底板７後部に前後移動自在に設置されてベーストレイ２の内部を商品見本３０が収納される前部空間と商品３１を収納する後部空間に区画する可動の第２トレイ３と、
後端を第２トレイ３の前縁側に回動自在に連結し、前端をベーストレイ２の前端側に回動自在に連結する前傾状の商品見本３０保持枠５と、
ベーストレイ２の前端側に後端が接続される透明若しくは半透明に表示板４と、
表示板４の下部空間に配置される照明具２１と、を具備し、
前記第２トレイ３を前後移動調整させることにより、これと連動して前記保持枠５の後端部を上下に移動調整させるようにしたことを特徴としている。
【００１２】
前記ベーストレイ２の底板７には、前後方向に沿って複数のスリット７ａが形成され、前記第２トレイ３の底部には、その前後移動調整時に前記複数のスリット７ａに選択的に係合する係止爪１０ａが突出形成されていることを特徴としている。
【００１３】
上記の構成によれば、ベーストレイ２上において第２トレイ３を前後に移動調整させることにより、第２トレイ３上の後部空間及び保持枠５内の前部空間の前後面積を広狭調整させることができ、商品見本３０及び商品３１の前後幅に対応して、適正な展示幅とすることができる。
【００１４】
前記表示板４は全体として前部側を下方向に向けて円弧状に湾曲形成され、前記ベーストレイ２の前縁側に後端連結されるとともに前部側を湾曲状としたフード部１４ａを一体化したベース板１４と、ベース板１４の前縁下部に固定されたブラインド板１５と、フード部１４ａの上面を係脱可能に覆うとともに、フード部１４ａとの間に商品名などを印刷した表示シート２０を狭持する表示カバー１６とを備えたことを特徴としている。
【００１５】
前記ベーストレイ２の両側部には側板６が形成されるとともに、該側板６の上面部には光散乱部６ｃが形成され、前記照明具２１の点灯により、透明若しくは半透明に形成された、ベーストレイ２、両側板６、前記第２トレイ３及び前記多層の表示板４を通して商品陳列装置全体を光らせるとともに、光散乱部６ｃにより光を散乱させることを特徴としている。また、前記ブラインド板１５を透明若しくは半透明に形成し、光散乱部１５ｂを形成している。
【００１６】
照明具２１の点灯により、商品陳列装置の全体が間接照明され、散乱光によって照らされるため、商品名などが見やすいばかりでなく、試供品としての商品見本及び商品の色彩の視認が容易となり、消費者による商品の選択が容易となる。
【発明の効果】
【００１７】
本発明によれば、商品見本や商品の大きさや高さの違いに応じて商品陳列装置の変形が可能であり、綺麗な商品配列が可能となる。
【００１８】
また、照明具の点灯により商品陳列装置全体が光るとともに、特に商品見本の容器の前面を照射するため、いずれの光環境の中におかれていても隣合う商品見本の色合の違いを明確に識別可能となる。
【００１９】
さらに、宣伝媒体も照射されるため、コマーシャル効果が大である。
【００２０】
また、装置の光散乱部から光が散乱状態で外部に出光するため、見た目に豪華で商品イメージも向上する。
【発明を実施するための最良の形態】
【００２１】
以下、本発明の最良の形態を添付図面を参照して説明する。図１〜図６は本発明に係る商品陳列装置の第１実施形態を示している。
【００２２】
図１において、商品陳列装置１を構成する部品の大多数は、アクリルなどの光透過性、かつ光誘導性を有する樹脂成形体からなるもので、商品設置面となるベーストレイ２と、ベーストレイ２上に設置固定される可動トレイである第２トレイ３と、ベーストレイ２の前縁に固定される商品表示板４と、先端を商品表示板４の上縁に回動可能に固定され、後端を第２トレイ３の先端部左右に連結されて傾斜状態に固定される商品見本３０の保持枠５と、ベーストレイ２の両側部に固定される左右１対の側板６などから概略構成されている。
【００２３】
前記ベーストレイ２は、設置面となる底板７と、底板７の後部に垂直に立設された背板８と、底板７の前縁に立設された商品表示板４の固定用前板９とからなっている。
底板７の後部には第２トレイ３の位置決め固定用の左右一対のスリット７ａが前後方向に沿って複数平行に配列されている。
【００２４】
背板８の前面には上部開口した枠縁部８ａが一体に形成され、この枠縁部８ａの内側に図示しないコマーシャルカードあるいはメッセージカードなどを差込めるようになっている。また背板８の後面には逆Ｌ字形をなしたレール状のフック部８ｂが一体化され、商品陳列装置１を、棚や展示壁面などに取付可能となっており、さらに背板８の両側面には側板５の固定用の係止孔８ｃが上下に開口されているほか、背板８の背面には複数の補強リブなどが設けられている。
【００２５】
前記第２トレイ３は、ベーストレイ２上に移動可能に設置される底板１０と、底板１０の前縁に立ち上げ形成されて装置１の内部を前部側収納空間と後部側収納空間に仕切る仕切板１１と、仕切板１１の左右に、これと一体に立ち上げ形成された保持枠５の支持用ブラケット１２を備えるほか、底板１０の後縁には前記スリット６ａに係合される後述の左右一対の係止爪１０ａが設けられている。
【００２６】
前記商品表示板４は、ベーストレイ２の前縁に固定されるベース板１４と、ベース板１４の前縁下部に固定されるブラインド板１５と、ベース板１４の上面を覆う表示カバー１６とから分割構成されている。
【００２７】
前記保持枠５は、試供品容器となる商品見本３０を位置決め状態に配列する枠状をなすものであり、先端部左右には軸孔が形成され、この軸孔をベースレール１４の後縁上部に設けられた軸受部に一致させ、樹脂リベット１８を挿通することにより、ベースレール１４の後縁上部に回動可能に軸支されている。また、保持枠５の後端両側部は、高さ調整用のリンク板１９および１対の樹脂リベット１８を介して所要の前傾姿勢となるよう前記ブラケット１２に高さ調整可能に取付けられる。
【００２８】
前記側板６は、ベーストレイ２の左右両側を囲うものであり、その上部は、後部から前部側に向けて楕円状の傾斜面を形成したものであり、側板６の後部内側には、係止孔８ｃに係止される上下１対のフック部６ａが突設されているとともに、前部底面には底板７の前部側に設置されるプレート６ｂが突設されている。さらに、側板６の上縁に一体化されたフランジ上面には図１に一部拡大して示すように、光散乱用のダイヤモンドカットによる形成される光拡散部６ｃが形成されている。
【００２９】
前記ベース板１４は、特に図２に示すように、ベーストレイ２の前縁に固定される後部壁１４ａと、後部壁１４ａの上縁から前部側に向けて側面視略４半円弧状をなして一体化されたフード部１４ｂを備えている。
【００３０】
後部壁１４ａは、図２の一部に拡大して示すように、側面視略Ｈ型をなし、その下部側中間溝部をベーストレイ２の前板９に嵌め込み固定することによって、ベーストレイ２の前縁に固定される。後部壁１４ａの上部左右には、軸受部１４ｃが一体化され、この軸受部１４ｃにより、表示カバー１６の後縁上部に一体に突設された軸１６ａを回動可能に軸受するようになっている。また後部壁１４ａの後部における上部両側に前記保持枠５の前部側を回動可能に支持する軸受部１４ｄが一体化されている。
【００３１】
フード部１４ａの前縁は、一段突出する段差を設けて垂直な取付面１４ｅが形成され、この取付面１４ｅに開口された複数の取付孔１４ｆにブラインド板１５の裏面側に突設されたボス１５ａを差込むことによってブラインド板１５を取付面１４ｅに固定できるようになっている。
【００３２】
ブラインド板１５の中間部にはその長手方向に沿ってダイヤモンドカットにより形成される光散乱部１５ｂが刻設されているとともに、商品ロゴ、および当該商品ロゴに関連するキャラクターなどが印刷またはインレタ張りにより設けられている。
【００３３】
フード部１４ｂと表示カバー１６の間には、透明または半透明のやや厚手の表示シート２０が狭持固定されるようになっており、この表示シート２０には商品名や、商品に関わるイメージキャラクターなどが予め印刷されている。なお、表示カバー１６の一側部には表示シート２０の取替えの際などに、表示カバー４３の回動の手掛りとなる摘み１６ｂが一体に突設されている。
【００３４】
さらに、フード部１４ｂの下部空間には蛍光灯などの照明具２１がその長手方向に沿って配置される収納空間となっている。照明具２１は自然光などの採光を得るものであり、そのプラグ２１ａを商用電源に接続することによって点灯し、表示シート２０を照射し、商品陳列装置１の内部に導光された光は光散乱部６ｃ、１５ｂの部分で光を散乱させつつ外部に出光することにより、高級感を演出する。また保持枠５内に配列される後述のファンデーション容器などの商品見本３０の前面を照射するようになっている。
【００３５】
図３は以上の各部品を組立た商品陳列装置１の完成状態を示し、図４，図５は同装置１に商品見本３０（ファンデーション容器）商品３１（およびその箱）を配列した状態を示している。各図において、保持枠５で囲われた前部が前述する試供用ファンデーション容器である商品見本３０が横一列に配列される収納空間となり、その後部が実際に販売される容器を収容した箱である商品３１が前列の色見本に対応した配列で横１列、縦２列に配列される収容空間となり、フード部１４ｂの下部空間に配置された照明具２１の点灯により各部品を構成するアクリル樹脂を通して導光され、商品陳列装置１全体が光るとともに、各試供品容器である商品見本３０の前面が自然配光により均一に照射される。
【００３６】
従って、隣り合う商品見本３０間で微妙な色差が生じていても、消費者目線により明確にその色差が認識されることになり、消費者は惑うことなく、正確に自分の好みの色のファンデーションを選ぶことができるものとなる。
【００３７】
なお、図示省略するが、商品見本３０は専用の透明樹脂からなる配列用トレイに一列に収装した上で保持枠５内に設置することにより、商品見本の入替え作業が簡単となる。
【００３８】
図６は、以上の商品陳列装置１を変形させた場合を示し、第２トレイ３の底板１０における最後尾の下部に一体化された前述の係止爪１０ａをベーストレイ２の底板７における最後尾のスリット７ａに係合することにより、前部側収納空間を若干前後方向に広げ、かつ後部収納空間を若干狭めている。またリンク板１９を下降させて保持枠５の傾斜角度を浅くしており、このように容器の高さや大きさに対応させて商品陳列装置１自体を変形させることができるため、仕様変更にも容易に対応できることになる。
【００３９】
図７は商品陳列装置１の第２実施形態を示すものである。なお、図において、前記と同一構成部分には同一符号を付し、異なる箇所、あるいは新たに付加された部品のみ異なる符号を用いて説明する。
【００４０】
図７において、試供用ファンデーション容器としての商品見本４０は、前記第１実施形態に比べて高さが低く短く、これに応じて容器を収容した箱としての商品４１の高さも低くなっており、この寸法でも第１実施形態と同じ陳列高さを得るために、前部側収納空間および後部側収納空間には、アクリル樹脂成形体からなる嵩上げパーツ４３，４４を設置し、この嵩上げパーツ４３，４４上にそれぞれ商品見本４０および商品４１を設置している。また側板４５は册状をなして嵩上げパーツ４４の両側に連結されているほかは、第１実施形態と同じである。
【００４１】
この実施形態においても図中破線で示すように商品陳列装置１の変形が可能であることは勿論である。
【図面の簡単な説明】
【００４２】
【図１】本発明の第１実施形態に係る商品陳列装置の分解斜視図である。
【図２】同陳列装置における商品表示板の分解斜視図である。
【図３】同陳列装置の組立状態を示す斜視図である。
【図４】同装置に商品見本と商品を設置した状態を示す斜視図である。
【図５】同側断面図である。
【図６】同装置の形状変更例を示す側断面図である。
【図７】同装置の第２実施形態を示す側断面図である。
【符号の説明】
【００４３】
１  商品陳列装置
２  ベーストレイ
３  第２トレイ
４  表示板
５  保持枠
６，４５  側板
７  底板
８  背板
９  前板
１０  底板
１１  仕切板
１２  ブラケット
１４  ベース板
１４ａ  フード部
１５  ブラインド板
１６  表示カバー
２０  表示シート
２１  照明具
３０，４０  商品見本
３１，４１  商品
６ｃ，１５ｂ  光散乱部
【図１】
2008307279.tif 000003
【図２】
2008307279.tif 000004
【図３】
2008307279.tif 000005
【図４】
2008307279.tif 000006
【図５】
2008307279.tif 000007
【図６】
2008307279.tif 000008
【図７】
2008307279.tif 000009